(57)【要約】      （修正有）【課題】中高層建物用増圧給水システムの機械系や制御系の生産性を高めコスト低減を図る。【解決手段】中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を有効にするか無効にするかを設定するパラメータをそれぞれ設け、これらのパラメータを前記記憶部に記憶する。【選択図】図１
2010174524.tif 000002
【特許請求の範囲】
【請求項１】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を有効にするか無効にするかを設定するパラメータをそれぞれ設け、これらのパラメータを前記記憶部に記憶したことを特徴とする中高層建物用増圧給水システム。
【請求項２】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を有効にするか無効にするかを設定するパラメータをそれぞれ設け、これらのパラメータを前記記憶部に記憶し、前記層ゾーンパラメータに中層ゾーン用及び高層ゾーン用を意味するデータが書かれていた場合、流入圧高停止の機能を無効とすることを特徴とする中高層建物用増圧給水システム。
【請求項３】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を有効にするか無効にするかを設定するパラメータをそれぞれ設け、これらのパラメータを前記記憶部に記憶し、前記層ゾーンパラメータに中層ゾーン用及び高層ゾーン用を意味するデータが書かれていた場合、流入圧高停止の機能を無効とするデータを書き込むソフトウエアの処理を有することを特徴とする中高層建物用増圧給水システム。
【請求項４】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を低層用ゾーンと中高層ゾーンとに区別して有効にするか無効にするかを設定するパラメータをそれぞれ設け、これらのパラメータを前記記憶部に記憶したことを特徴とする中高層建物用増圧給水システム。
【請求項５】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を低層用ゾーンと中高層ゾーンとに区別して有効にするか無効にするかを設定するパラメータをそれぞれ設け、これらのパラメータを前記記憶部に記憶し、前記層ゾーンパラメータに低層ゾーン用意味するデータが書かれていた場合、低層ゾーン用流入圧力停止機能を有効にするか無効にするかを設定するパラメータに有効が書かれていた場合は流入圧停止の機能を有効とし、無効と書かれていた場合は流入圧停止の機能を無効とすることを特徴とする中高層建物用増圧給水システム。
【請求項６】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速
駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力低下停止機能を有効にするか無効にするかを設定するパラメータをそれぞれ設け、これらのパラメータを前記記憶部に記憶したことを特徴とする中高層建物用増圧給水システム。
【請求項７】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力低下停止機能を有効にするか無効にするかを設定するパラメータをそれぞれ設け、これらのパラメータを前記記憶部に記憶し、前記層ゾーンパラメータに中層ゾーン用及び高層ゾーン用を意味するデータが書かれていた場合、流入圧停止の機能を無効とし、流入圧力低下及び復帰のパラメータを空転保護用のデータに書き換えるソフトウエア処理を有することを特徴とする中高層建物用増圧給水システム。
【発明の詳細な説明】
【技術分野】
【０００１】
本発明は、中高層建物用増圧給水システムに関する。
【背景技術】
【０００２】
近年、水道用配水管に直結して給水を行う増圧直結給水方式が広く普及してきている。これらの従来技術として特許文献１〜３に記載された中高層建物用増圧給水システム等がある。
【０００３】
例えば特許文献１の段落(００３１)には「給水対象となる建物が９階建てのビルで、これを１階から３階までの低層ゾーン(低階床群)と、４階から６階までの中層ゾーン(中階床群)、それに７階から９階までの高層ゾーン(高階床群)に分けたこと」が開示され、さらに段落(００３３)には「水道配水管１の水圧を、第１段目の増圧ポンプ４と第２段目の増圧ポンプ４０により２段に増圧して、高層ゾーンの各各階床の水栓１０ｇ、１０ｈ、１０ｉに給水が行なわれるようにしたものであり、このため、制御装置１６０は、第１段目の制御装置１６と同じようにして、圧力センサ１２０、１４０と、流量スイッチ１３０の信号により、増圧ポンプ１４０を可変速制御し、所定の水圧に昇圧された水を水栓１０ｇ、１０ｈ、１０ｉに供給するように、このポンプ４０を運転制御するようになっている。」と開示されている。また、特許文献２や特許文献３にも同様に、低層ゾーンは水道管の圧力で給水を行い、中層ゾーンや高層ゾーンはポンプを用いて給水を行うシステムについて開示されている。
【先行技術文献】
【特許文献】
【０００４】
【特許文献１】特開平７−３３１７１１
【特許文献２】特開２０００−３０３５１５
【特許文献３】特開２０００−３０３５１４
【発明の概要】
【発明が解決しようとする課題】
【０００５】
上記特許文献には、各層に対する増圧給水システムの制御方法について開示されているものの、具体的なシステムの生産性を高めることやコストの低減を図るという点については何ら開示されていない。
【０００６】
本発明の目的はシステムの機械系や制御系の生産性を高め、システムのコスト低減を図ることを目的とする。
【課題を解決するための手段】
【０００７】
上記課題を解決するため本発明の第１の実施態様では、中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を有効にするか無効にするかを設定するパラメータをそれぞれ設け、これらのパラメータを前記記憶部に記憶する。
【０００８】
以下前段の説明は省く。  
第２の実施態様では、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を有効にするか無効にするかを設定するパラメータをそれぞれ設け、これらのパラメータを前記記憶部に記憶し、前記層ゾーンパラメータに中層ゾーン用及び高層ゾーン用を意味するデータが書かれていた場合、流入圧高停止の機能を無効とする。
第３の実施態様では、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を有効にするか無効にするかを設定するパラメータをそれぞれ設け、これらのパラメータを前記記憶部に記憶し、前記層ゾーンパラメータに中層ゾーン用及び高層ゾーン用を意味するデータが書かれていた場合、流入圧高停止の機能を無効とするデータを書き込むソフトウエアの処理を行う。
【０００９】
第４の実施態様では、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を低層用ゾーンと中高層ゾーンとに区別して有効にするか無効にするかを設定するパラメータをそれぞれ設け、これらのパラメータを前記記憶部に記憶する。
【００１０】
第５の実施態様では、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力高停止機能を低層用ゾーンと中高層ゾーンとに区別して有効にするか無効にするかを設定するパラメータをそれぞれ設け、これらのパラメータを前記記憶部に記憶し、前記層ゾーンパラメータに低層ゾーン用意味するデータが書かれていた場合、低層ゾーン用流入圧力停止機能を有効にするか無効にするかを設定するパラメータに有効が書かれていた場合は流入圧停止の機能を有効とし、無効と書かれていた場合は流入圧停止の機能を無効とする。
【００１１】
第６の実施態様では、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力低下停止機能を有効にするか無効にするかを設定するパラメータをそれぞれ設け、これらのパラメータを前記記憶部に記憶する。
【００１２】
第７の実施態様では、これら増圧給水システムは可変速駆動手段によって駆動される増圧ポンプと、マイクロプロッセッサ及びこれの入出力ポートと、パラメータ設定手段と表示部と記憶部からなる制御装置を内蔵した制御盤とで構成し、前記設定手段によって低層ゾーン用か中層ゾーン用か高層ゾーン用かを設定する層ゾーンパラメータ、流入圧力低下停止機能を有効にするか無効にするかを設定するパラメータをそれぞれ設け、これらのパラメータを前記記憶部に記憶し、前記層ゾーンパラメータに中層ゾーン用及び高層ゾーン用を意味するデータが書かれていた場合、流入圧停止の機能を無効とし、流入圧力低下及び復帰のパラメータを空転保護用のデータに書き換えるソフトウエア処理を行う。
【発明の効果】
【００１３】
本発明の上記手段によれば、増圧給水システムの機械系や制御系の生産性を高め、システムのコスト低減を図ることができる。
【図面の簡単な説明】
【００１４】
【図１】中高層建物用増圧給水システムのシステム系統図を説明するための図である。
【図２】低層ゾーンに設置する増圧給水システムを説明するための図である。
【図３】中層、高層ゾーンに設置する増圧給水システムを説明するための図である。
【図４】本実施例の制御回路図である。
【図５】低層ゾーンに設置する増圧給水システムの運転制御、パラメータを示す運転特性図である。
【図６】中層ゾーンに設置する増圧給水システムの運転制御、パラメータを示し運転特性図である。
【図７】高層ゾーンに設置する増圧給水システムの運転制御、パラメータを示し運転特性図である。
【図８】パラメータの詳細を説明する図。
【図９】パラメータの詳細を説明する図。
【発明を実施するための形態】
【実施例１】
【００１５】
以下、本発明の実施例を図１〜図９により説明する。  
図１は本発明実施例中高層建物用増圧給水システムのシステム系統図を示す。１は水道配水管、４は吸い込み側を水道配水管枝管２、量水計３を介して水道配水管に直結し、送水管５を介して、低層ゾーン需要端（例えば水栓５ａ、５ｂ、５ｃ）へ給水する低層ゾーン用増圧給水システム、６は吸い込み側を前記低層ゾーン用増圧給水システム送水配管５と直結し、送水管７を介して中層ゾーン需要端（例えば水栓７ａ、７ｂ、７ｃ）へ給水する中層ゾーン用増圧給水システム、８は吸い込み側を前記中層ゾーン用増圧給水システム送水配管７と直結し、送水管９を介して高層ゾーン需要端（例えば水栓９ａ、９ｂ、９ｃ）へ給水する高層ゾーン用増圧給水システムである。なお、これらの制御に必要なパラメータは例えば図８、９のようにメモリーに格納される。
【００１６】
低層、中層増圧給水システム間は、低層増圧給水システムが運転している状態を示す運転信号Ｓ１１、これのアンサーバック信号１１と、中層増圧給水システムが運転している状態を示す運転状態信号Ｓ１３、これのアンサーバック信号Ｓ１４とを接続する。又、中層、高層増圧給水システム間は、中層増圧給水システムが運転している状態を示す運転信号Ｓ２１、これのアンサーバック信号２２と、高層増圧給水システムが運転している状態を示す運転信号Ｓ２３、これのアンサーバック信号２４とを接続する。これらの信号を相互に送受信し連系運転システムを構築する。尚、これらの信号は通信を用いても良いし、無線でも良い。
図２は低層ゾーンに設置する増圧給水システムを示している。ＣＵ１はこの増圧給水システムの制御装置であり、ＢＰ１１、ＢＰ１２はそれぞれ増圧ポンプ１号、２号でありこれらの間は動力ケーブルＳ３４、Ｓ３５で結線されおり交互に運転する構成となっている。制御装置ＣＵ１は信号Ｓ１１、Ｓ１２、Ｓ１３、Ｓ１４とで信号の送受信を行っている。ＰＳ１１は水道配水管側の圧力ヘッドを検出する圧力センサであり、ここの検出圧力ヘッドに応じた電気信号Ｓ３０を、同様にＰＳ１２は吐出圧力ヘッド（送水圧力ヘッド）を検出する圧力センサであり、ここの検出圧力ヘッドに応じた電気信号Ｓ３１をそれぞれ制御装置ＣＵ１に発信する。ＦＳ１１、ＦＳ１２はそれぞれ１号及び２号増圧ポンプの吐出側に設置され水使用の過少水量状態を検出する流量スイッチであり、電気信号Ｓ３２、Ｓ３３を制御装置ＣＵ１に発信する。Ｔ１は内部に空気を保有する圧力タンクであり、圧力変動防止及び蓄圧を目的に使用する。１１は逆流防止弁であり増圧給水システム二次側の逆流を阻止し、汚染防止を目的に設置している。１５は、途中に逆止め弁１４を設けたバイパス管であり、増圧ポンプ１号、２号と併設設置しこれらのポンプ運転時は、吐出側より水道配水管側に循環するのを阻止し、水道配水管側圧力ヘッドが十分に高い場合は、ポンプを運転せず、この水道配水管圧で給水するためのものである。又、１０−１〜１０−６は仕切弁、１２，１３は逆止め弁である。
【００１７】
図３は中層、高層ゾーンに設置する増圧給水システムを示している。低層ゾーン設置の増圧給水システム図１に対して、必要のない逆流防止弁１１（これら前後の仕切り弁１０−１、１０−２も含む）及びバイパス管１５（逆止め弁１４を含む）を省いている。これ以外についての部品及び構成は同じとし標準化を図っている。
【００１８】
図４は制御盤ＣＵ１〜ＣＵ２の回路図を示す。
ＰＷは電源、ＩＮＶ１、ＩＮＶ２はそれぞれ増圧ポンプ１号及び２号を駆動する可変速駆動装置であり、例えばインバータである。このインバータは、運転指令信号ＳＴＸ１、ＳＴＸ２により始動停止を行い、周波数指令信号ｆｘ１、ｆｘ２により周波数制御を行い、前記した増圧ポンプ１号及び２号用モータＩＭ１、ＩＭ１に可変周波数、可変電圧を供給する。ＣＯＮＳ１、ＣＯＮＳ２はそれぞれオペレータであり、インバータの加速時間や過電流トリップレベル等のパラメータ、層ゾーンパラメータ（例えば高層は０、中層は１、低層は２）、当該層ゾーンより上位の水の使用量の多少を判定するパラメータを設定したり、単独で運転停止等を指令するものである。
ＥＬＢ１、ＥＬＢ２はこれ以降設置のインバータ、モータの漏電保護を行う漏電遮断器である。ＣＵは制御装置であり、マイクロプロセッサーＣＰＵ、入出力ポートＰＩＯ―１〜ＰＩＯ―５、アナログ入出力ポートＤ／Ａ、メモリーＭ、安定化電源回路ＡＶＲで構成している。又、増圧給水システムが作動するのに必要なプログラムが前記メモリーＭに格納している。ＳＳは運転停止スイッチであり、これのＯＮでＡＶＲを介してＣＵに電源が供給される。ＯＦＦで電源断となり運転中であれば停止する。Zはリレー駆動手段であり、CPUのソフト処理によりＰＩＯ−４よりＺにＯＮ．ＯＦＦ信号が出力されてリレーＳＴＸ１、ＳＴＸ２、Ｘ１、Ｘ２を開閉駆動する。リレーＳＴＸ１、ＳＴＸ２は前述したインバータの運転停止信号であり、リレーＸ１は他の増圧給水システム制御盤に運転信号として、リレーＸ２はアンサーバック信号として出力する。中層の場合は低層及び高層に発信することになるため信号は２量必要となる。これ以外は１点でｏｋである。又、他の増圧給水システム制御盤からの運転信号Ｓ１１（又は）及びアンサバック信号Ｓ１２（又は）の受信は、リレ−Ｘ３、Ｘ４により受信し、これらの信号をＰＩＯ−５より入力する。以上のように制御系は各層ゾーン用も同じであり標準化を図っている。
【００１９】
又、ＳＷは図５〜図７に示す増圧給水システムの制御パラメータを設定するためのスイッチである。これらの値はＰＩＯ−３より取り込み記憶部（メモリーに）格納処理される。前述した水道の配水管側の圧力ヘッドを検出する圧力センサ及び吐出側圧力ヘッドを検出する圧力センサの信号はアナログポートＡ／Ｄにより取り込まれメモリーに格納処理される。（例えば０〜１００ｍに変換）これらのパラメータは詳細には図８、図９に示すとおりである。
【００２０】
図５は低層ゾーンに設置する増圧給水システムの運転制御、パラメータを示し運転特性図であり、左側が吸い込み側、右側が吐き出し側を示す。吸い込み側は水道の配水管の圧力ヘッドを意味し、ＳＬＬは配水管の圧力ヘッドが低下しポンプを停止させるための圧力ヘッドであり、ＳＬは復帰圧力ヘッドを示す。通常の設定例は７ｍ、復帰が１０ｍである。即ち、流入側の圧力を圧力センサＰＳ１１で検出しこの値が、前述のパラメータＳＬＬ以下一定時間で低下したら水の使用にかかわらず増圧給水システムを停止し、前記検出した流入圧がＳＬ以上に一定時間以上高くなったら復帰するのである。これを流入圧低下停止機能と呼び、水道の配水管側が工事断水等によって給水不能となったときの緊急処置機能である。
【００２１】
パラメータＳＨＨは配水管の圧力ヘッドが十分高く、増圧ポンプを運転せず配水管圧のみで給水するためのパラメータであり、ＳＨは復帰圧力ヘッドを示す。通常の設定はＳＨＨを右側吐き出し側所定圧Ｈ０とするかこれより若干高く設定している。ＳＨはＳＨＨより数ｍ低く設定している。即ち、流入側の圧力を圧力センサＰＳ１２で検出しこの値が、前述のパラメータＳＨＨ以上一定時間で上昇したら水の使用にかかわらず増圧給水システムを停止し、前述のバイパス管及び逆止め弁を介して水道排水管圧で給水し、前記検出した流入圧がＳH以下に一定時間以上低くなったら復帰するのである。これを流入圧高停止機能と呼ぶ。
【００２２】
吐き出し側は、増圧ポンプの作動を示すためのポンプ性能曲線にこれと関連付けてパラメータを示している。縦軸に全揚程、横軸に吐き出し量（使用最大水量に相当）を表す。
【００２３】
曲線Ａはインバータ周波数ｆｍａｘ（100％周波数）でポンプを運転した時のポンプＱ−Ｈ性能曲線である。曲線Ｆは低層ゾーン用増圧給水システムのこのゾーンに増圧ポンプを運転して給水した際の自身及び、送水配管等の抵抗を示す。又、このゾーンへ給水するのに所望な水量が前述した吐き出し量（使用最大水量）Ｑ０であり、所望な圧力ヘッド全揚程Ｈ０である。このＱ０、Ｈ０は設計値であり、これが前述したポンプＱ−Ｈ性能曲線Ａと抵抗曲線Ｆとの交点Ｏに来るよう設計するのが望ましいが、抵抗曲線Ｆ上の交点Ｏより小さくなるよう設計しても良い。又、曲線Ｂ、Ｃはインバータ周波数をｆ１、ｆｍｉｎ（最低周波数）まで変えてポンプを運転した時のポンプＱ−Ｈ性能である。インバータ周波数は無段階であり、曲線Ａと曲線Ｃとの間にこれに対応した曲線を引くことが可能であるが、説明の便宜上、これらの曲線を代表して曲線Ｂ、Ｃで表している。又、これらは、インバータ周波数をｆ１で運転したときは、ポンプのＱ−Ｈ性能曲線はＢであり、ポンプ吐き出し量はＱ１であり、インバータ周波数をｆｍｉｎで運転したときは、ポンプのＱ−Ｈ性能曲線はＣであり、ポンプ吐き出し量は０であることを意味している。加えて、使用水量が０〜Ｑ０に変化した場合、増圧ポンプは抵抗曲線Ｆ上に沿って、インバータよりｆｍｉｎ〜ｆｍａｘを出力して圧力ヘッドを推定末端圧一定制御と言われる方式により運転制御している。この制御を行う際に、曲線Ｆ上に目標圧力として吐出し量０のときに所望な値をＨ００（インバータ周波数ｆｍｉｎに対応）、吐出し量Ｑｍａｘのときに所望な値Ｈ０（インバータ周波数ｆｍａｘに対応）を設ける。即ち、曲線ＦのＨ００とＨ０間を直線近似するか、関数として処理するかあるいはテーブルとして処理する等して用いられる。
【００２４】
さらに、ＰＯＮは増圧ポンプの始動圧力ヘッド（大体はＨ００の近くに設定）、ＰＯＦＦは増圧ポンプの停止圧力ヘッド（大体はＰＯＮより高く設定）である。Ｑｍｉｎは水使用が過少水量の場合に増圧ポンプを停止させるための吐き出し量であり、前述した流量検出手段によって検出する。さらに、この状態を検出して、停止させる直前に圧力タンクへの蓄圧を図るためにインバータ周波数をｆｏｆｆまで高めて停止させる。このときのポンプＱ−Ｈ性能曲線がＤであり。停止圧力ヘッドがＰＯＦＦとなる。尚、前述の吸い込み側の制御は、圧力センサＰＳ１１の検出により行い、吐き出し側の制御は圧力センサＰＳ１２の検出により行なうものである。
【００２５】
図６は中層ゾーンに設置する増圧給水システムの運転制御、パラメータを示し運転特性図であり、左側が吸い込み側、右側が吐き出し側を示す。左側の吸い込み側は図５に示す、必要のないＳＨＨ、ＳＨを省いている。但し、増圧ポンプの空転保護（ポンプの中に水が入ってない状態での運転を防止すること）として、パラメータＳＬＬ、ＳＬを用いる。このパラメータは例えば、ＳＬＬを２ｍ、ＳＬを５ｍに設定する。即ち、流入側の圧力センサＰＳ１１の検出した圧力ヘッドが、ＳＬＬ（＝２ｍ）以下に一定時間以上低下したら空転保護のため増圧ポンプを停止するのである。（増圧ポンプの空転保護）これは、低層に設けている流入圧低下停止機能とは保護の目的が異なる。吐き出し側は図５と同じであるが、設計値のＱ０、Ｈ０が中層ゾーンに給水するのに必要な値となる。
【００２６】
図７は、高層ゾーンに設置する増圧給水システムの運転制御、パラメータを示し運転特性図であり、左側が吸い込み側、右側が吐き出し側を示す。左側の吸い込み側は図６と同じである。吐き出し側は図５から、最高位ゾーンである必要のない吐き出し圧力一定制御時の水平線Ｇを省いているが、設計値のＱ０、Ｈ０が高層ゾーンに給水するのに必要な値となる。
【００２７】
以上のように構成したものの各実施態様について説明する。本実施例は、低層ゾーン、中層ゾーン、高層ゾーンそれぞれに設置する増圧給水システムは、機械系も制御系もハード構成は同じものが使用されるように構成する。これにより、給水増圧システムの標準化を図り生産性を高めることが可能となる。そしてこれはコストの低減を図ることにもつながる。
【００２８】
本実施例の具体的な一実施態様は、前述の設定手段によって低層ゾーン用か中層ゾーン用か高層ゾーン用かを設定する層ゾーンパラメータ及び流入圧力高停止機能を有効にするか無効にするかを設定するパラメータにより、これらのパラメータを前記記憶部に記憶したものである。
【００２９】
さらに別の実施態様は、前述の設定手段によって低層ゾーン用か中層ゾーン用か高層ゾーン用かを設定する層ゾーンパラメータ及び流入圧力高停止機能を有効にするか無効にするかを設定するパラメータにより、これらのパラメータを前記記憶部に記憶し、前記層ゾーンパラメータに中層ゾーン用及び高層ゾーン用を意味するデータが書かれていた場合、流入圧高停止の機能を無効とするようにしたものである。
【００３０】
さらに本実施例の別の実施態様は、前述の設定手段によって低層ゾーン用か中層ゾーン用か高層ゾーン用かを設定する層ゾーンパラメータ及び流入圧力高停止機能を有効にするか無効にするかを設定するパラメータにより、これらのパラメータを前記記憶部に記憶し、前記層ゾーンパラメータに中層ゾーン用及び高層ゾーン用を意味するデータが書かれていた場合、流入圧高停止の機能を無効とするデータを書き込むソフトウエアの処理を行うようにしたものである。
【００３１】
さらに本実施例の別の実施態様は、前述の設定手段によって低層ゾーン用か中層ゾーン用か高層ゾーン用かを設定する層ゾーンパラメータ及び流入圧力高停止機能を低層用ゾーンと中高層ゾーンとに区別して有効にするか無効にするかを設定するパラメータにより、これらのパラメータを前記記憶部に記憶するようにしたものである。
【００３２】
さらに本実施例の別の実施態様は、前述の設定手段によって低層ゾーン用か中層ゾーン用か高層ゾーン用かを設定する層ゾーンパラメータ及び流入圧力高停止機能を低層用ゾーンと中高層ゾーンとに区別して有効にするか無効にするかを設定するパラメータにより、これらのパラメータを前記記憶部に記憶し、前記層ゾーンパラメータに低層ゾーン用意味するデータが書かれていた場合、低層ゾーン用流入圧力高停止機能を有効にするか無効にするかを設定するパラメータに有効が書かれていた場合は流入圧高停止の機能を有効とし、無効と書かれていた場合は流入圧高停止の機能を無効とするようにしたものである。
【００３３】
さらに本実施例の別の実施態様は、前述の記設定手段によって低層ゾーン用か中層ゾーン用か高層ゾーン用かを設定する層ゾーンパラメータおよび流入圧力低下停止機能を有効にするか無効にするかを設定するパラメータにより、これらのパラメータを前記記憶部に記憶したものである。
【００３４】
さらに本実施例の別の実施態様は、前述の設定手段によって低層ゾーン用か中層ゾーン用か高層ゾーン用かを設定する層ゾーンパラメータ及び流入圧力低下停止機能を有効にするか無効にするかを設定するパラメータにより、これらのパラメータを前記記憶部に記憶し、前記層ゾーンパラメータに中層ゾーン用及び高層ゾーン用を意味するデータが書かれていた場合、流入圧停止の機能を無効とし、流入圧力低下及び復帰のパラメータを空転保護用のデータに書き換えるソフトウエア処理を行うようにしたものである。
【００３５】
以上説明した通り本発明によれば、低層ゾーン、中層ゾーン、高層ゾーンそれぞれに設置する増圧給水システムは、機械系も制御系もハード構成はほぼ同じもの使用し、パラメータによって低層ゾーン、中層ゾーン、高層ゾーンの機能を選択して利用するようにしたので、標準化され生産性を高めることが可能となった。又、これによりこれらのシステムを普及させることが出来るようになる。
【符号の説明】
【００３６】
１…水道配水管、２…水道配水管枝管、３…量水計３、４…増圧ポンプ、５…送水管５、５ａ〜５ｃ…水栓、６…増圧ポンプ、８…増圧ポンプ、９…送水管、９ａ〜９ｃ…水栓。
【図１】
2010174524.tif 000003
【図２】
2010174524.tif 000004
【図３】
2010174524.tif 000005
【図４】
2010174524.tif 000006
【図５】
2010174524.tif 000007
【図６】
2010174524.tif 000008
【図７】
2010174524.tif 000009
【図８】
2010174524.tif 000010
【図９】
2010174524.tif 000011